(57)【要約】【課題】簡単に動画データを作成してアップロードでき、その動画データを特定の相手に容易に視聴させることができる動画データ配信システムを提供する。【解決手段】撮影ブース内で被写体を撮影して動画データを作成し、動画データを作成するごとに動画データ特定情報を作成し、動画データと動画データ特定情報とを動画サーバ２０に送信するとともに、動画データ特定情報を有するコード４０を作成し、そのコード４０を付したコード付き紙片５０を発行する。動画サーバ２０は、動画データを動画データ特定情報に基づいて読み出し可能な形で記憶し、端末３０は、コード４０を読み取り、コード４０が有する動画データ特定情報に基づき動画サーバ２０に動画データの配信を要求する。動画サーバ２０は、動画データ特定情報に基づいて動画データを読み出してリクエスト元の端末３０に配信し、端末３０は配信された動画データを再生する。【選択図】図１
2007135152.tif 000002
【特許請求の範囲】
【請求項１】
動画撮影装置と、コード付き紙片発行装置と、動画サーバと、端末とを有する動画データ配信システムであって、
前記動画撮影装置は、撮影ブース内の被写体を撮影して動画データを作成し、該動画データを作成するごとに前記動画データを特定するためのユニークな動画データ特定情報を作成し、前記動画データと前記動画データ特定情報とを互いに関連づけした形で前記動画サーバに送信し、
前記コード付き紙片発行装置は、前記動画データ特定情報を有するコードを作成し、該コードを付した紙片であるコード付き紙片を発行し、
前記動画サーバは、前記動画データ送信手段によって送信された前記動画データを前記動画データ特定情報に基づいて読み出し可能な形で記憶し、
前記端末は、前記コード付き紙片に付されたコードを読み取り、該コードが有する動画データ特定情報に基づき前記動画サーバに動画データの配信を要求するリクエストを作成して送信し、
前記動画サーバは、前記端末からのリクエストを受信すると、該リクエストに含まれている前記動画データ特定情報に基づいて対応する動画データを読み出してリクエスト元の端末に配信し、
前記端末は、前記動画サーバによって配信された動画データを受信して再生することを特徴とする動画データ配信システム。
【請求項２】
前記コード付き紙片は、表面にコードが印刷され、裏面に貼着用の糊が塗布されたシールであることを特徴とする請求項１に記載の動画データ配信システム。
【請求項３】
前記コード付き紙片は、有価紙片であり、該有価紙片の表面の少なくとも一部にコードが印刷されていることを特徴とする請求項１に記載の動画データ配信システム。
【請求項４】
前記コード付き紙片は、切手であり、該切手の表面の少なくとも一部にコードが印刷されていることを特徴とする請求項１に記載の動画データ配信システム。
【請求項５】
前記コード付き紙片の紙片は郵送物であり、前記コードは郵送物の表面に直接印字された印影であることを特徴とする請求項１に記載の動画データ配信システム。
【発明の詳細な説明】
【技術分野】
【０００１】
本発明は、動画データを作成して動画サーバにアップロードし、端末からのリクエストに応じてリクエスト元の端末に配信する動画データ配信システムに関する。
【背景技術】
【０００２】
従来より、例えばＱＲコード(登録商標)や他の２次元バーコード等に情報端末装置のバーコードリーダを接近させてバーコードを読み取り、その読み取ったバーコードが有するＵＬＲ情報を用いて情報端末装置によりインターネット上のダウンロードサイトに接続してコンテンツの配信を受けるコンテンツ配信システムが提案されている（例えば特許文献１を参照）。
【０００３】
また、ＵＲＬ情報を有するバーコードを雑誌やポスターなどの紙媒体に印刷して、コンテンツを提供したい相手に配布することも従来より行われている。
【０００４】
そして、インターネットを介してコンテンツを提供する方法の一つとして、例えば音声付きの動画像等の動画データを動画サーバにアップロードし、端末からのリクエストに応じてリクエスト元の端末に配信して視聴させる動画データ配信サービスが従来より行われている。
【０００５】
【特許文献１】特開２００３−３３０８３１号公報
【発明の開示】
【発明が解決しようとする課題】
【０００６】
しかしながら、自己の動画データの配信を希望する者が自ら動画データの配信を行う場合、動画像の撮影、端末で視聴可能なフォーマットを有する動画データへの変換、サーバへのアップロード等の作業を行わなければならない。これらの作業は煩雑であり、何人も簡単にできるものではなく、特に、コンピュータの知識が貧弱な者にとっては困難であった。
【０００７】
また、ＵＲＬ情報を有するバーコードを提供するために雑誌やポスターを利用すると、費用が嵩みコスト高となる。したがって、動画配信希望者がバーコードの提供を簡単に行うことは困難であった。
【０００８】
本発明は、これらの問題に鑑みてなされたものであり、その目的は、簡単に動画データを作成してインターネット上にアップロードでき、その動画データを特定の相手に容易に視聴させることができる動画データ配信システムを提供することにある。
【課題を解決するための手段】
【０００９】
上記課題を解決する請求項１に記載の発明による動画データ配信システムは、動画撮影装置と、コード付き紙片発行装置と、動画サーバと、端末とを有する動画データ配信システムであって、動画撮影装置は、撮影ブース内の被写体を撮影して動画データを作成し、該動画データを作成するごとに前記動画データを特定するためのユニークな動画データ特定情報を作成し、前記動画データと前記動画データ特定情報とを互いに関連づけした形で前記動画サーバに送信し、コード付き紙片発行装置は、前記動画データ特定情報を有するコードを作成し、該コードを付した紙片であるコード付き紙片を発行し、動画サーバは、前記動画データ送信手段によって送信された前記動画データを前記動画データ特定情報に基づいて読み出し可能な形で記憶し、端末は、前記コード付き紙片に付されたコードを読み取り、該コードが有する動画データ特定情報に基づき前記動画サーバに動画データの配信を要求するリクエストを作成して送信し、動画サーバは、前記端末からのリクエストを受信すると、該リクエストに含まれている前記動画データ特定情報に基づいて対応する動画データを読み出してリクエスト元の端末に配信し、端末は、前記動画サーバによって配信された動画データを受信して再生することを特徴とする。
【００１０】
請求項２に記載の発明は、請求項１に記載の動画データ配信システムにおいて、コード付き紙片は、表面にコードが印刷され、裏面に貼着用の糊が塗布されたシールであることを特徴とする。
【００１１】
請求項３に記載の発明は、請求項１に記載の動画データ配信システムにおいて、コード付き紙片は、有価紙片であり、有価紙片の表面の少なくとも一部にコードが印刷されていることを特徴とする。
【００１２】
請求項４に記載の発明は、請求項１に記載の動画データ配信システムにおいて、コード付き紙片は、切手であり、該切手の表面の少なくとも一部にコードが印刷されていることを特徴とする。
【００１３】
請求項５に記載の発明は、請求項１に記載の動画データ配信システムにおいて、コード付き紙片の紙片は郵送物であり、前記コードは郵送物の表面に直接印字された印影であることを特徴とする。
【発明の効果】
【００１４】
請求項１に記載の発明によれば、動画撮影装置は、撮影ブース内で被写体を撮影して動画データを作成し、動画データを作成するごとに動画データを特定するためのユニークな動画データ特定情報を作成し、動画データと動画データ特定情報とを互いに関連づけした形で動画サーバに送信する。コード付き紙片発行装置は、動画データ特定情報を有するコードを作成し、そのコードを付したコード付き紙片を発行する。
【００１５】
動画サーバは、動画データ送信手段によって送信された動画データを動画データ特定情報に基づいて読み出し可能な形で記憶する。端末は、コード付き紙片に付されたコードを読み取り、コードが有する動画データ特定情報に基づき動画サーバに動画データの配信を要求するリクエストを作成して送信する。
【００１６】
動画サーバは、端末からのリクエストを受信すると、リクエストに含まれている動画データ特定情報に基づいて対応する動画データを読み出してリクエスト元の端末に配信する。端末は、動画サーバによって配信された動画データを受信して再生する。
【００１７】
したがって、動画の配信を希望する動画配信希望者は、コンピュータの知識等を何ら必要とすることなく、撮影ブース内で被写体を撮影するだけで動画データを作成することができ、動画サーバにアップロードすることができる。また、動画配信希望者は、動画データ特定情報を有するコードを付したコード付き紙片の発行を受けることができ、例えば郵送等によって容易に配布することができる。
【００１８】
一方、動画の視聴を希望する動画視聴希望者は、コード付き紙片に付されているコードを端末によって読み取り、コードが有する動画データ特定情報に基づいて動画サーバに動画データの配信を要求することができる。そして、動画視聴希望者は、動画サーバから端末に所望の動画データの配信を受けることができ、端末によって再生された動画像を視聴することができる。
【００１９】
請求項２の発明は、請求項１に記載したコード付き紙片の具体例の一つを示したものであり、これによれば、コード付き紙片は表面にコードが印刷され、裏面に貼着用の糊が塗布されたシールであるので、種々の物に容易に貼着することができる。したがって、コード付き紙片を、例えば配布物に貼着することによって容易に配布することができる。  
請求項３の発明は、請求項１に記載したコード付き紙片の具体例の一つを示したものであり、これによれば、コード付き紙片は有価紙片であり、有価紙片の表面の少なくとも一部にコードが印刷されているので、有価紙片を貼着した書類とともに配布することができ、コード付き紙片の配布を容易なものとすることができる。
【００２０】
請求項４の発明は、請求項１に記載したコード付き紙片の具体例の一つを示したものであり、これによれば、コード付き紙片は、切手であり、切手の表面の少なくとも一部にコードが印刷されているので、はがきや封筒の郵送物に切手を貼着して郵便局に出すことによって、コードを郵送物とともに配布することができる。したがって、動画配信希望者は、特定の者へのコード付き紙片の配布を容易に行うことができる。
【００２１】
請求項５の発明は、請求項１に記載したコード付き紙片の具体例の一つを示したものであり、これによれば、コード付き紙片の紙片は郵送物であり、コードは郵送物の表面に直接印字された印影であるので、コードを郵送物とともに配布することができる。したがって、動画配信希望者は、特定の者へのコード付き紙片の配布を容易に行うことができる。
【発明を実施するための最良の形態】
【００２２】
次に、本発明の実施の形態について図に基づいて説明する。図１は、本実施の形態にかかわる動画配信システム１の構成を概略的に示す図、図２は、機能ブロック図である。
【００２３】
動画配信システム１は、１又は複数の動画撮影装置１０と、コード付き紙片発行装置１５と、動画サーバ２０と、１又は複数の端末３０とからなり、図１に示すように、動画撮影装置１０及びコード付き紙片発行装置１５は、ネットワーク回線２を介して動画サーバ２０と接続され、また、動画サーバ２０はインターネット３を介して端末３０と接続されている。
【００２４】
動画撮影装置１０は、図２に示すように、動画撮影装置１０の撮影ブース内で本システムの利用者を撮影して利用者の動画と音声とからなる動画データを作成する動画データ作成手段１１と、動画データ作成手段１１により作成した動画データを特定するためのユニークなＵＲＬ情報（動画データ特定情報）を作成するＵＲＬ情報作成手段１２と、動画データとＵＲＬ情報を動画サーバ２０に送信する動画データ送信手段１３を有している。
【００２５】
動画データ作成手段１１は、動画撮影カメラ（図示せず）を有しており、撮影ブース内の被写体である動画配信希望者を撮影し、予め設定されたフォーマットによる動画データを作成する。
【００２６】
ＵＲＬ情報作成手段１２は、動画データ作成手段１１によって動画データが作成されるごとにユニークなＵＲＬ情報を作成する。ユニークなＵＲＬ情報は、動画サーバ２０が端末３０から動画配信のリクエストを受けたときに動画サーバ２０内に記憶されている動画データを特定することができる情報であり、例えば動画撮影装置１０に割り当てられた固有の機種番号及び撮影日時の情報を含ませることによって作成される。
【００２７】
動画データ送信手段１３は、動画データ作成手段１１によって作成した動画データと、ＵＲＬ情報作成手段１２によって作成したＵＲＬ情報とを互いに関連付けした形で動画サーバ２０に送信する処理を行う。
【００２８】
コード付き紙片発行装置１５は、ＵＲＬ情報作成手段１２によって作成されたＵＲＬ情報に基づいて２次元バーコード４０を作成するコード作成手段１６と、コード作成手段１６によって作成された２次元バーコード４０が印字されたコード付き紙片５０を発行する発行手段１７を有している。
【００２９】
コード作成手段１６は、ＵＲＬ情報付与手段１２によって作成されたユニークなＵＲＬ情報に基づき予め設定されたプログラムに従って２次元バーコード４０を作成する。
【００３０】
発行手段１７は、コード付き紙片５０となる紙片の表面に２次元バーコード４０を印刷するプリンタ機能を有している。コード付き紙片５０は、例えば表面の全体或いは一部に２次元バーコード４０が印刷されて裏面に貼着用の糊が塗られたシール５１、切手５２や証紙等の有価紙片（図４及び図５を参照）、或いは表面に２次元バーコード４０が印刷された、はがきや封筒（以下、はがき等という）５３が該当する（図６を参照）。
【００３１】
尚、コード付き紙片発行装置１５は、本実施の形態では、各動画撮影装置１０の撮影ブース内にそれぞれ設けられており、コード付き紙片５０を、例えば動画撮影終了から所定時間経過後に発行し、動画配信希望者が持ち帰ることができるようになっている。コード付き紙片発行装置１５の台数は、本実施の形態に限定されるものではなく、例えば複数の動画撮影装置１０に対して１台とする構成であってもよい。
【００３２】
動画サーバ２０は、図２に示すように、動画撮影装置１０の動画データ送信手段１３によって送信された動画データとＵＲＬ情報を受信し、ＵＲＬ情報に基づいて動画データを読み出し可能な形で格納する動画データ記憶手段２１と、端末３０からのリクエストに応じてリクエスト元の端末３０に動画データを配信する動画データ配信手段２２を有している。
【００３３】
動画データ記憶手段２１は、動画撮影装置１０から送信された動画データとＵＲＬ情報を受信すると、そのＵＲＬ情報に基づいて動画データ格納ファイルを作成し、動画データを格納する処理を行う。
【００３４】
動画データ配信手段２２は、端末３０からＵＲＬ情報に基づく動画配信のリクエストを受けると、そのＵＲＬ情報に基づいて動画データ記憶手段２１の動画データ格納ファイルに格納されている動画データを読み出す処理を行う。そして、端末３０のリクエストに付されているヘッダ情報等に基づいてリクエスト元の端末の仕様を認識判別し、動画データ格納ファイルから読み出した動画データをリクエスト元の端末３０によって動画再生可能なフォーマット形式にデータ変換を行い、データ変換後の動画データをリクエスト元の端末３０に配信する処理を行う。
【００３５】
端末３０は、コード付き紙片５０に印刷された２次元バーコード４０を読み取るバーコードリーダ３１と、バーコードリーダ３１によって読み取った２次元バーコード４０からＵＲＬ情報を抽出してそのＵＲＬ情報に基づいて動画サーバ２０にアクセスし、動画サーバ２０から所望の動画データの配信を受けることができる動画データ受信手段３２と、動画データ受信手段３２によって受信した動画データを再生する動画データ再生手段３３を有している。
【００３６】
端末３０は、インターネット３に接続して閲覧可能なブラウザ及びカメラを備えた、いわゆるカメラ付きの携帯電話やＰＤＡなど（以下、携帯電話等）、或いはＰＣ（パーソナルコンピュータ）によって構成されている。
【００３７】
バーコードリーダ３１は、例えば端末３０が携帯電話等の場合には、携帯電話等が備えているカメラ（図示せず）によって構成されており、カメラで２次元バーコード４０を撮影することによって２次元バーコード４０が有するＵＲＬ情報を読み取ることができるようになっている。
【００３８】
また、端末３０がＰＣの場合には、ＰＣの周辺機器としてＰＣとは別個に用意されてＰＣに接続されており、赤外線等を利用し、バーコードリーダ３１の読み取り部を２次元バーコード４０に接近させることによって２次元バーコード４０が有するＵＲＬ情報を読み取ることができるようになっている。
【００３９】
動画データ受信手段３２は、所定のプログラムを使用して２次元バーコード４０からＵＲＬ情報を抽出し、かかるＵＲＬ情報に基づいて動画データの配信を要求するリクエストを作成して動画サーバ２０に送信する。
【００４０】
そして、動画サーバ２０から配信された動画データを受信する処理を行う。尚、動画サーバ２０にリクエストを送信する際に、その抽出したＵＲＬ情報に基づいてインターネット３上のサイトへのアクセスを行うか否かを端末３０の操作者に選択させる表示を端末３０の表示部に表示させ、サイトへのアクセスが選択された後に、リクエストの送信を行ってもよい。
【００４１】
動画データ再生手段３３は、動画サーバ２０から受信した動画データを所定のプログラムを使用して再生し、動画を端末３０の表示部に表示させる処理を行う。
【００４２】
次に、上記構成を有する動画配信システム１を使用した動画配信方法について説明する。図３は、上記構成を有する動画配信システム１の使用例の一つを概略的に示す図である。
【００４３】
まず、本システム１の利用者であって自己の動画データの配信を希望する動画配信希望者は、郵便局などの店舗内に予め設置されている動画撮影装置１０の撮影ブース内に入り、所定の金額を投入し、動画撮影装置１０に自己の撮影を行わせる。
【００４４】
動画撮影装置１０は、例えば約３０秒間など、予め設定された時間だけ撮影ブース内の被写体である動画配信希望者を撮影し、その動画データを作成する。そして、その動画データのＵＲＬ情報を作成して、動画データとＵＲＬ情報とを動画サーバ２０に送信する。動画サーバ２０は、動画撮影装置１０から動画データとＵＲＬ情報を受信すると、そのＵＲＬ情報に基づいて動画データを読み出し可能な形で動画データ記憶手段２１内に格納する（ステップＳ１）。したがって、動画配信希望者は、容易に動画データを作成することができる。
【００４５】
コード付き紙片発行装置１５は、動画データのＵＲＬ情報に基づいて２次元バーコード４０を作成し、コード付き紙片５０となる紙片の表面に印刷して出力する（ステップＳ２）。従って、動画配信希望者は、２次元バーコード４０が印刷されたコード付き紙片５０を簡単に発行することができる。
【００４６】
動画配信希望者は、例えば、コード付き紙片５０がシール５１の場合には、種々の物品に貼着することができ、配布物に貼着することによって２次元バーコード４０を広く配布することができる。また、コード付き紙片５０が切手５２や、はがき等５３である場合には、郵送することによって、郵便物の受取人に２次元バーコード４０を配布することができる（ステップＳ３）。
【００４７】
２次元バーコード４０の配布を受けた者であって動画の視聴を希望する動画視聴希望者は、端末３０のバーコードリーダ３１によって２次元バーコード４０を読み取る作業を行う（ステップＳ４）。
【００４８】
端末３０は、バーコードリーダ３１によって２次元バーコードデータ４０を読み取ると、２次元バーコード４０が有するＵＲＬ情報を抽出し、そのＵＲＬ情報に基づいて動画サーバ２０に対して動画データの配信を要求するリクエストを送信する。
【００４９】
動画サーバ２０は、端末３０から動画配信のリクエストを受けると、そのＵＲＬ情報に基づいて、動画データ記憶手段２１の動画データ格納ファイルに格納されている動画データを読み出し、リクエスト元の端末３０によって動画再生可能なフォーマット形式にデータ変換した後に、リクエスト元の端末３０に配信する。
【００５０】
端末３０は、動画サーバ２０から動画データの配信を受けると、その動画データを所定のプログラムを使用して再生し、端末３０の表示部に動画を表示させる（ステップＳ５）。従って、動画視聴希望者は、所望の動画データの配信を受けることができ、動画を視聴することができる。
【００５１】
図４〜図６は、コード付き紙片発行手段１５によって発行されるコード付き紙片５０の例を示す図である。図４は、表面に２次元バーコード４０が印刷されたシール５１、図５は切手５２、図６は、料金別納や料金後納のはがき等５３の一部を示すものである。
【００５２】
コード付き紙片５０は、図４に示すように、表面に２次元バーコード４０が印刷されたシール５１によって構成して、複数枚のシール５１を一枚のシート状にして出力してもよく、同様に図５に示すように、一部に２次元バーコード４０が印刷された切手５２によって構成して複数枚の切手を一枚のシート状に出力してもよい。
【００５３】
また、コード付き紙片５０は、特に図示していないが例えば年賀はがきや、図６に示すように料金別納或いは料金後納のはがき等５３の表面に２次元バーコード４０を印字したものであってもよい。料金別納等のはがき等５３の場合には、料金別納等を表示する表示部５４内に設けられた広告等記載部分５５に２次元バーコード４０が記載される。また、２次元バーコード４０の印字は、印刷に限られるものではなく、スタンプなどの印影であってもよい。
【００５４】
上記構成を有する動画配信システム１によれば、動画配信希望者は、コンピュータの知識等を何ら必要とすることなく、郵便局等の店舗内に設置されている動画撮影装置１０の撮影ブース内で自己の動画を容易に撮影することができ、動画データを簡単に作成することができる。そして、その動画データを動画サーバ２０に容易にアップロードすることができる。
【００５５】
また、動画データをダウンロードさせるためのＵＲＬ情報を有するコード付き紙片５０を簡単に発行することができる。そして、コード付き紙片５０がシール５１である場合には種々の物に貼着し、コード付き紙片５０が切手５２やはがき等５３である場合には郵送によって、容易に配布することができる。従って、ＵＲＬ情報を有する２次元バーコード４０を特定の相手に提供するために、雑誌やポスター等を利用する必要がなく、２次元バーコード４０の提供を低コストで行うことができる。
【００５６】
一方、動画視聴希望者は、端末３０のバーコードリーダ３１によってコード付き紙片５０の２次元バーコード４０を読み取ることにより、動画サーバ２０から端末３０に所望の動画データを容易にダウンロードすることができ、動画を視聴することができる。
【００５７】
従って、動画配信希望者は、例えば出産報告用の動画を動画撮影装置１０の撮影ブース内で撮影し、動画撮影装置１０によって発行されたコード付き紙片５０である２次元バーコード付き切手５２を出産報告はがき５３に貼付して特定の相手に郵送することができる。そして、その出産報告はがき５３の郵送を受けた者であって動画の視聴を希望する動画視聴希望者は、端末３０のバーコードリーダ３１によって２次元バーコード付き切手５２の２次元バーコード４０を読み取ることによって、出産報告用の動画を視聴することができる。
【００５８】
尚、本発明は、上述の実施の形態に限定されるものではなく、本発明の趣旨を逸脱しない範囲で種々の変更が可能である。例えば、上述の実施の形態では、コードの例として２次元バーコード４０を用いたが、１次元バーコードや特殊な印影であってもよい。
【図面の簡単な説明】
【００５９】
【図１】本実施の形態にかかわる動画配信システムの構成を概略的に示す図である。
【図２】機能ブロック図である。
【図３】動画配信システムの使用例の一つを概略的に示す図である。
【図４】コード付き紙片の例を示す図であり、表面に２次元バーコードが印刷されたシールを示すものである。
【図５】コード付き紙片の例を示す図であり、切手シートを示すものである。
【図６】コード付き紙片の例を示す図であり、料金別納や料金後納の郵便物の一部を示すものである。
【符号の説明】
【００６０】
１  動画配信システム
２  ネットワーク回線
３  インターネット
１０  動画撮影装置
１１  動画データ作成手段
１２  ＵＲＬ情報（動画データ特定情報）作成手段
１３  動画データ送信手段
１５  コード付き紙片発行装置
１６  コード作成手段
１７  発行手段
２０  動画サーバ
２１  動画データ記憶手段
２２  動画データ配信手段
３０  端末
３１  バーコードリーダ
３２  動画データ受信手段
３３  動画データ再生手段
４０  ２次元バーコード（コード）
５０  コード付き紙片
５１  シール
５２  切手
５３  はがき等
【図１】
2007135152.tif 000003
【図２】
2007135152.tif 000004
【図３】
2007135152.tif 000005
【図４】
2007135152.tif 000006
【図５】
2007135152.tif 000007
【図６】
2007135152.tif 000008